(57)【特許請求の範囲】
【請求項１】
表示物を表示する表示手段と、
自装置の傾きを検知するセンサと、
自装置の傾きの情報を前記センサから取得し、自装置を保持する利用者の顔の向きをカメラから取得し、
自装置の上部と下部とを結ぶ線が重力方向に対して垂直方向であり、かつ、前記顔の上部と下部とを結ぶ線が重力方向に平行な向きである場合には、前記表示物の向きを、重力の下方向が当該表示物の下方向となるように前記表示手段に表示させ、
自装置の上部と下部とを結ぶ線および前記顔の上部と下部とを結ぶ線が、重力方向に対して垂直方向である場合には、前記表示物の向きを、当該表示物の上下方向が当該垂直方向と平行となるように前記表示手段に表示させる制御部と、
自装置の上下方向が顔の上下方向と一致する利用者の顔画像を格納する記憶手段とを備え、
前記制御部は、自装置の上部と下部とを結ぶ線が重力方向に対して垂直方向に傾いた場合に前記カメラを起動させて前記利用者の顔画像を撮像し、
前記記憶手段に格納された前記顔画像と、撮像した前記顔画像とが同一人物の顔画像であり、かつ、顔の向きが一致する場合に、自装置の上部と下部とを結ぶ線および前記顔の上部と下部とを結ぶ線が、重力方向に対して垂直方向であると判定して前記表示物の上下方向が前記垂直方向に平行な方向となるように前記表示物を前記表示手段に表示させる端末装置。
【請求項２】
前記制御部は、自装置の上部と下部とを結ぶ線が重力方向に対して垂直方向である場合であり、かつ、自装置内で所定のアプリケーションが稼働している場合にのみ、前記表示物の向きを、当該表示物の上下方向が当該垂直方向と平行となるように前記表示手段に表示させる請求項１に記載の端末装置。
【請求項３】
表示物を表示する表示手段と、自装置の傾きを検知するセンサと、自装置の上下方向が顔の上下方向と一致する利用者の顔画像を格納する記憶手段と、を備える端末装置に、
自装置の傾きの情報を前記センサから取得し、自装置を保持する利用者の顔の向きをカメラから取得する取得ステップと、
自装置の上部と下部とを結ぶ線が重力方向に対して垂直方向に傾いた場合に前記カメラを起動させて前記利用者の顔画像を撮像させる撮像ステップと、
自装置の上部と下部とを結ぶ線が重力方向に対して垂直方向であり、かつ、前記顔の上部と下部とを結ぶ線が重力方向に平行な向きである場合には、前記表示物の向きを、重力の下方向が当該表示物の下方向となるように前記表示手段に表示させ、
自装置の上部と下部とを結ぶ線、および、前記顔の上部と下部とを結ぶ線が、重力方向に対して垂直方向である場合には、前記表示物の向きを、当該表示物の上下方向が当該垂直方向と平行となるように前記表示手段に表示させる制御ステップと、を実行させ、
前記制御ステップは、前記記憶手段に格納された前記顔画像と、撮像した前記顔画像とが同一人物の顔画像であり、かつ、顔の向きが一致する場合に、自装置の上部と下部とを結ぶ線および前記顔の上部と下部とを結ぶ線が、重力方向に対して垂直方向であると判定して前記表示物の上下方向が前記垂直方向に平行な方向となるように前記表示物を前記表示手段に表示させる画面制御プログラム。
【請求項４】
自装置の上部と下部とを結ぶ線が重力方向に対して垂直方向である場合であり、かつ、自装置内で所定のアプリケーションが稼働している場合にのみ、前記表示物の向きを、当該表示物の上下方向が当該垂直方向と平行となるように前記表示手段に表示させる前記制御ステップを前記端末装置に実行させる請求項３に記載の画面制御プログラム。
【請求項５】
表示物を表示する表示手段と、自装置の傾きを検知するセンサと、自装置の上下方向が顔の上下方向と一致する利用者の顔画像を格納する記憶手段と、を備える端末装置が、
自装置の傾きの情報を前記センサから取得し、自装置を保持する利用者の顔の向きをカメラから取得し、
自装置の上部と下部とを結ぶ線が重力方向に対して垂直方向に傾いた場合に前記カメラを起動させて前記利用者の顔画像を撮像させ、
自装置の上部と下部とを結ぶ線が重力方向に対して垂直方向であり、かつ、前記顔の上部と下部とを結ぶ線が重力方向に平行な向きである場合には、前記表示物の向きを、重力の下方向が当該表示物の下方向となるように前記表示手段に表示させ、
前記記憶手段に格納された前記顔画像と、撮像した前記顔画像とが同一人物の顔画像であり、かつ、顔の向きが一致する場合に、自装置の上部と下部とを結ぶ線、および、前記顔の上部と下部とを結ぶ線が、重力方向に対して垂直方向であると判定し、当該表示物の上下方向が当該垂直方向と平行となるように前記表示物を前記表示手段に表示させる画面制御方法。
【請求項６】
自装置の上部と下部とを結ぶ線が重力方向に対して垂直方向である場合であり、かつ、自装置内で所定のアプリケーションが稼働している場合にのみ、前記表示物の向きを、当該表示物の上下方向が当該垂直方向と平行となるように前記表示手段に表示させる請求項５に記載の画面制御方法。
【発明の詳細な説明】
【技術分野】
【０００１】
本発明は端末装置、画面制御方法、プログラムに関する。
【背景技術】
【０００２】
携帯電話やスマートフォン、あるいはタブレットといった端末装置は、当該端末装置の縦横の傾きにあわせて画面表示を自動的に縦横に回転させる画面表示調整機能を有している場合がある。画面表示の調整は、端末装置に内蔵された加速度センサによって重力方向が検知されることにより行なわれる。これにより、ユーザが端末装置を傾けても、画面表示方向もそれにあわせて調整されるため、ユーザとって便利である。
【０００３】
この機能が使用された場合、図１右図に示すように、ユーザが端末装置を持ったまま横になって寝転んでいる状態では、携帯端末が横向きとなるため、右図の実線部のように画面表示調整が行なわれる。しかし、この場合、ユーザ自身も横向きとなっているため、ユーザは右図の点線部のように、表示物が元のままの状態で画面表示されるようにしたいにもかかわらず、実線部のように画面表示調整が行なわれて表示物の向きが変更されてしまうため、ユーザにとって不便であるという問題があった。
【０００４】
この分野に関し、特許文献１には、使用状態に応じてアプリケーションを起動させる端末装置が開示されている。
【先行技術文献】
【特許文献】
【０００５】
【特許文献１】特開２０１１−２１６０２２号公報
【発明の概要】
【発明が解決しようとする課題】
【０００６】
しかし、文献に記載の技術は画面表示の方向を調整するものではないため上述の課題を解決できない。そこで、本発明は、ユーザの端末装置の使用状態に応じて画面表示の向きを調整する端末装置、画面制御方法、プログラムを提供することを目的とする。
【課題を解決するための手段】
【０００７】
かかる目的を達成するため、本発明の一形態は、端末装置であって、表示物を表示する表示手段と、自装置の傾きを検知するセンサと、自装置の傾きの情報を前記センサから取得し、自装置を保持する利用者の顔の向きをカメラから取得し、自装置の上部と下部とを結ぶ線が重力方向に対して垂直方向であり、かつ、前記顔の上部と下部とを結ぶ線が重力方向に平行な向きである場合には、前記表示物の向きを、重力の下方向が当該表示物の下方向となるように前記表示手段に表示させ、自装置の上部と下部とを結ぶ線および前記顔の上部と下部とを結ぶ線が、重力方向に対して垂直方向である場合には、前記表示物の向きを、当該表示物の上下方向が当該垂直方向と平行となるように前記表示手段に表示させる制御部と、を備える。
【０００８】
また、本発明は、表示物を表示する表示手段と、自装置の傾きを検知するセンサと、を備える端末装置に、自装置の傾きの情報を前記センサから取得し、自装置を保持する利用者の顔の向きをカメラから取得する取得ステップと、自装置の上部と下部とを結ぶ線が重力方向に対して垂直方向であり、かつ、前記顔の上部と下部とを結ぶ線が重力方向に平行な向きである場合には、前記表示物の向きを、重力の下方向が当該表示物の下方向となるように前記表示手段に表示させ、自装置の上部と下部とを結ぶ線、および、前記顔の上部と下部とを結ぶ線が、重力方向に対して垂直方向である場合には、前記表示物の向きを、当該表示物の上下方向が当該垂直方向と平行となるように前記表示手段に表示させる制御ステップと、を実行させる画面制御プログラムを提供する。
【０００９】
また、本発明は、表示物を表示する表示手段と、自装置の傾きを検知するセンサと、を備える端末装置が、自装置の傾きの情報を前記センサから取得し、自装置を保持する利用者の顔の向きをカメラから取得し、自装置の上部と下部とを結ぶ線が重力方向に対して垂直方向であり、かつ、前記顔の上部と下部とを結ぶ線が重力方向に平行な向きである場合には、前記表示物の向きを、重力の下方向が当該表示物の下方向となるように前記表示手段に表示させ、自装置の上部と下部とを結ぶ線、および、前記顔の上部と下部とを結ぶ線が、重力方向に対して垂直方向である場合には、前記表示物の向きを、当該表示物の上下方向が当該垂直方向と平行となるように前記表示手段に表示させる画面制御方法を提供する。
【発明の効果】
【００１０】
本発明は、端末装置ユーザの使用状態に応じて画面表示の向きを調整する端末装置、画面制御方法、プログラムを提供する。
【図面の簡単な説明】
【００１１】
【図１】端末装置を説明する図である。
【図２】端末装置を説明する図である。
【図３】端末装置の構成の一例を示す図である。
【図４】設定画面の一例を示す図である。
【図５】第１の実施形態の動作の一例を示す図である。
【図６】端末装置を説明する図である
【図７】設定画面の一例を示す図である。
【図８】端末装置を説明する図である。
【図９】記憶部の一例を示す図である。
【図１０】第２の実施形態の動作の一例を示す図である。
【図１１】端末装置の構成の一例を示す図である。
【発明を実施するための形態】
【００１２】
以下、本発明の実施の形態について、図面を用いて説明する。すべての図面において、同様な構成要素には同様の符号を付し、適宜説明を省略する。
【００１３】
なお、各実施形態の装置等を構成する各部は、論理回路等のハードウェアで構成される。また、各部は、コンピュータの制御部、メモリ、メモリにロードされたプログラム、プログラムを格納するハードディスク等の記憶ユニット、ネットワーク接続用インターフェースなどからなり、ハードウェアとソフトウェアの任意の組合せによって実現されてもよい。そして特に断りのない限り、その実現方法、装置は限定されない。
【００１４】
また、制御部はＣＰＵ（Central Processing Unit）などからなり、ＯＳ（Operating system）を動作させて装置等の全体を制御するとともに、例えばドライブ装置などに装着された記録媒体からメモリにプログラムやデータを読み出し、これに従って各種の処理を実行する。記録媒体は、例えば光ディスク、フレキシブルディスク、磁気光ディスク、外付けハードディスク、半導体メモリ等であって、コンピュータプログラムをコンピュータが読み取り可能に記録する。また、コンピュータプログラムは、通信網に接続されている図示しない外部コンピュータからダウンロードされても良い。
【００１５】
＜実施形態１＞
図２には、端末装置１０の外観の一例が示されている。また、図３には、端末装置１０の構成の一例が示されている。
【００１６】
図２、図３に示すように端末装置１０は、制御部１００、表示部１１０、操作部１２０、カメラ１３０、センサ１４０、記憶部１５０を備える。
【００１７】
表示部１１０は、文字や画像などの各種情報（表示物）を表示するためのＬＣＤ（Liquid CrystalDisplay）などの画面である。操作部１２０は、ユーザが端末装置１０を操作するための指示を与えるボタン等である。なお、表示部１１０がタッチパネル等であって、操作部１２０と一体となっていても良い。
【００１８】
カメラ１３０は、写真などの静止画や動画を撮影する既存のカメラであり、例えば表示部１１０と同一面に設けられる。記憶部１５０は、各種データを保存するメモリ等である。センサ１４０は、端末装置１０の傾き方向を検出する既存の加速度センサ等である。
【００１９】
制御部１００は、上述の各部を制御する。例えば、制御部１００は、後述のように、センサ１４０に端末装置１０の傾きを検知させる。また、制御部１００は、端末装置１０の傾きを検知するとカメラ１３０を起動させ、カメラ１３０にユーザの顔を撮影させる。制御部１００の詳細な動作については後述する。
【００２０】
以下では、図１のように、ユーザが端末装置１０の通常操作時に端末装置１０を保持するときの端末装置１０の上部分を上部（または頭部）、下部分を下部（または足部）と呼ぶ。端末装置１０の上下方向、すなわち、頭部、足部は、例えば、予め記憶部１５０等に格納されている。そのため、センサ１４０は端末装置１０の傾きを検知して端末装置１０の頭部や足部がどの方向を向いているのかを把握することができる。
【００２１】
頭部と足部とを結ぶ線が重力方向に対して平行になっている場合を、端末装置１０の向きが直立であると呼ぶ。図１の左図は、端末装置１０の向きが直立である場合を示している。これに対し、図１の右図のように、頭部と足部とを結ぶ線が重力方向に対して垂直となっている場合を、端末装置１０の向きが横方向であると呼ぶ。
【００２２】
端末装置１０は、端末装置１０が横方向である場合に画面表示調整機能を有効にするか無効にするかを設定できる設定機能を有していても良い（図４参照）。画面表示調整機能とは、センサ１４０によって検知された重力の方向に合わせて、表示部１１０に表示される表示物の向きの上下を調整する機能である。画面表示調整機能が有効である場合には、図１右図の実線部のように、センサ１４０で検知された重力の上下方向に合わせて制御部１００が表示物の上下を調整して表示部１１０に表示する。すなわち、制御部１００は端末装置１０が傾けられても、重力の下方向が表示物の下方向となるように表示物を回転させて表示部１１０に表示させる。
【００２３】
一方、画面表示調整機能が無効である場合には、端末装置１０が横方向になっても、図１右図の点線部のように表示物が表示部１１０に表示される。すなわち、画面表示調整機能が無効である場合、制御部１００は、端末装置１０が直立の場合に表示部１１０に表示される表示物の端末装置１０に対する向きを保ったまま、表示物の表示方向を調整しない。
【００２４】
また、端末装置１０は、ユーザ及び端末装置１０が横方向になっている場合に、画面表示調整機能を有効にするか無効にするかを設定できる設定機能を有していても良い（図４参照、ゴロ寝モード）。“ユーザ及び端末装置１０”が横方向になっているときに、画面表示調整機能が無効である場合をゴロ寝モードが有効であるという。ここで、ユーザが横方向であるとは、図１右図に示すように、端末装置１０が横方向である場合に、ユーザの顔の頭部と顎部を結ぶ線の方向が、端末装置１０の頭部と足部とを結ぶ直線と平行である場合である。制御部１００は、カメラ１３０によってユーザの顔画像を撮影し、既存の顔向き判定機能を用いることで、ユーザの向きが横方向であるか否かを判定することができる。なお、ユーザは、例えば図４の設定画面のように、表示部１１０に表示された設定画面に対してチェックボックスにチェックを入れる等して、端末装置１０が横方向の場合に画面表示調整機能を有効にするか無効にするかを設定できる。この設定は記憶部１５０に保存される。
【００２５】
次に、図５を用いて本実施の形態の動作について説明する。
【００２６】
まず、センサ１４０は、端末装置１０の向き（直立か横方向かの傾き）の変化を検知する（ステップＳ１）。
【００２７】
センサ１４０の検知結果を基に、制御部１００は現在の端末装置１０の向きを判定し、端末装置１０が横方向か否かを判定する（ステップＳ２）。
【００２８】
制御部１００が端末装置１０の向きを判定した結果、端末装置１０が横方向であった場合（ステップＳ２、Ｙｅｓ）、制御部１００は、端末装置１０が横方向の場合の画面表示調整機能の設定が有効か否かを、記憶部１５０を参照して確認する（ステップＳ３）。ステップＳ３がＮｏの場合、制御部１００は、画面表示調整機能の設定を無効のままとして処理を終了する。
【００２９】
ステップＳ３がＹｅｓの場合、制御部１００は、ゴロ寝モードが有効か否かを、記憶部１５０を参照して確認する（ステップＳ４）。ゴロ寝モードが無効である場合（ステップＳ４、Ｎｏ）、制御部１００は、画面表示調整を行なって処理を終了する。
【００３０】
一方、ステップＳ４がＹｅｓである場合、端末装置１０はカメラ１３０を起動し、ユーザの顔を検出して、顔の向きを検出する（ステップＳ５）。顔および顔の向きの検出には、携帯電話やデジタルカメラにて一般的に搭載されている顔検出機能や、瞳検出機能が使用される。
【００３１】
なお、設計者等は、カメラ１３０が、端末装置１０を操作しているユーザではない別の人物の顔を誤検出しないようにするための対策を設けても良い。防止策として、例えば、制御部１００は、カメラ１３０が検出した顔のサイズを基に、検出された顔が端末装置１０を操作しているユーザの顔であるか否かを判定しても良い。具体的には、検出部１００は、検出された顔サイズが閾値以下の場合にはユーザでないと判定しても良い。なぜなら、端末装置１０のユーザは端末装置１０を保持できる位置にいるため、カメラ１３０で撮像された顔のサイズはあまり小さくならないと考えられるからである。
【００３２】
次に、制御部１００は、顔の方向が横方向であるか否かを判定する（ステップＳ６）。すなわち、図６の様に、端末装置１０の長手方向（頭部と足部を結ぶ線の方向）と顔の向き（頭部と顎部を結ぶ線の方向）とが平行である場合、制御部１００は、ユーザが横になって寝転んだ状態で端末装置１０を操作していると判断し、端末装置１０の向きにあわせた画面表示調整機能を無効にする（ステップＳ７）。
【００３３】
次に制御部１００は、カメラ１３０が、この状態からユーザの顔を検出しなくなったとき、あるいは、ユーザの顔の向きが変わったとき、あるいは、端末装置１０の向きが変えられたとき（ステップＳ８、Ｙｅｓ）は、ユーザが横になって寝転んだ状態で端末装置１０を操作していないと判定し、画面表示調整機能を有効に戻す（ステップＳ９）。
【００３４】
なお、画面表示調整機能やゴロ寝モードが予め設定されていることを前提とすれば、ステップＳ３やステップＳ４は省略することが可能である。
【００３５】
また、制御部１００は、端末装置１０の向きが変化したときに、画面表示調整機能を有効にするか無効にするかを選択させる選択画面を表示部１１０に表示し、ユーザに画面表示機能の設定を行なわせても良い。このようにすれば、端末装置１０の方向が横方向になったときにユーザに画面表示調整機能の設定を行なわせることができる。
【００３６】
また、図７に示すように、ゴロ寝モードに設定されているときに、特定のアプリケーションが起動されている場合には、画面表示調整機能を有効としても良い。どのアプリケーションの起動時に画面表示調整機能を有効とするかは図７に示すようにユーザが設定することができ、当該設定は記憶部１５０に保存される。図７に示す例では、例えば、メール使用時と電話使用時にはゴロ寝モードは有効であり、ワンセグ使用時にはゴロ寝モードは無効となる。すなわち、制御部１００は、メールアプリケーションなど所定のアプリケーションが稼働している場合にのみ画面表示調整機能を無効としても良い。このようにすることにより、ワンセグ放送などを利用してユーザがテレビを視聴している場合には画面表示調整機能が有効であっても良いが、文字入力などを必要とするメール使用時等には画面表示調整機能を無効としたいなど、ユーザの柔軟な調整が可能となる。
【００３７】
本実施の形態によれば、端末装置１０のユーザの使用状態に応じて画面表示を調整することができる。その理由は、画面表示調整機能付きの端末装置であっても、端末装置が横方向であり、かつユーザも横方向である場合には画面表示調整機能を無効にするからである。
【００３８】
＜実施の形態２＞
次に、本発明の第３の実施の形態における端末装置１０について説明する。
【００３９】
本実施の形態における端末装置１０は、第１の実施の形態と基本的な動作は同じである。第１の実施の形態では、制御部１００が、カメラ１３０が撮影しているユーザの顔をそのまま検出してユーザが横方向になっているかどうかを判定した。これに対し、本実施の形態では、記憶部１５０にあらかじめユーザの顔写真と、ユーザが当該顔写真を撮影した時の端末装置１０の向きとを対応付けて記憶しておく点で第１の実施の形態とは異なる。
【００４０】
ユーザは、例えば図６に示すように、端末装置１０とユーザ自身が横方向になっている時にカメラ１３０で自己の顔写真を撮影する。この際、制御部１００はセンサ１４０から端末装置１０の向きを取得し、ユーザの顔写真と端末装置１０の向きとを対応付けて記憶部１５０に記憶する（図９の１行目参照）。
【００４１】
図６に示す例では、端末装置１０の頭部が右向きであり足部が左向きである。このような状態を端末装置１０が右方向であるという（逆の場合を左方向という）。ユーザの顔画像の向きは、端末装置１０の頭部側にユーザの頭部が位置し、足部側にユーザの顎部が位置している場合に正面方向であるという。つまり、図１の左図のような場合、あるいは図６のような場合に、ユーザ（の顔）は正面方向である。また、図８の左図に示すように、端末装置１０の頭部と足部を結ぶ方向に対して顔の向きが左に向いている場合、ユーザ（の顔）は左方向であり、それと１８０度反対の方向（図８の右図）である場合に右方向であるという。このように、端末装置１０の向きは重力に対する関係で指定されるのに対し、ユーザの向きは端末装置１０の向きに対する関係で指定される。なお、このような方向の指定方法は適宜変更可能である。
【００４２】
図９には、ユーザの顔写真と端末装置１０の向きとを対応付けて記憶する記憶部１５０の状態が示されている。図９の一行目は、ユーザの顔が正面方向であり、端末装置１０の向きが右方向であることを示している。これは、図１右図、図６のように、ユーザが右方向に端末装置１０をもったまま自己も右方向に横になって自分の顔写真をカメラ１３０で撮影したことを意味する。このように、ユーザの顔写真の方向と端末装置１０の向きとを対応付けることにより、記憶部１５０は、ユーザがどのような状態で自己の顔を撮影したかを記憶することができる。
【００４３】
次に、図１０を用いて、本実施の形態における端末装置１０の動作を示す。以下では、端末装置１０の画面表示調整機能、ゴロ寝モードはいずれも有効であることを前提とする。
【００４４】
まず、センサ１４０は、端末装置１０が横方向となったことを検知する（ステップＡ１）。制御部１００は検知結果をセンサ１４０から受け取ると、カメラ１３０を起動して、ユーザの顔の撮影を行なう（ステップＡ２）。
【００４５】
次に、制御部１００は、撮影されたユーザの顔と記憶部１５０に保存されたユーザの顔とを比較する（ステップＡ３）。例えば、現在の端末装置１０の向きが右方向である場合、制御部１００は、端末装置１０の向きが右方向と対応付けられている顔を記憶部１５０から抽出する。次に、制御部１００は、抽出した顔と撮影されたユーザの顔を比較し、同一人物であるか否か、及び、顔の向きが一致するか否かを判定する。
【００４６】
その結果、同一人物であり、顔の向きが正面である場合（顔が一致するとよぶ）（ステップＡ４、Ｙｅｓ）には、制御部１００は、ユーザが横方向になって寝転んだ状態で端末装置１０を操作していると判断し、画面表示調整機能を無効にする（ステップＡ５）。
【００４７】
その後、制御部１００はカメラ１３０に対し、定期的に写真撮影を命令し、撮影した写真と記憶部１５０に保存された写真とを定期的に比較しても良い。比較した結果、ユーザの顔が検出されなくなったとき、ユーザの顔の向きが変わったとき、または、端末装置１０の向きが変えられたと制御部１００が判断したとき（ステップＡ６、Ｙｅｓ）は、ユーザが横になって寝転んだ状態で操作していないと判定し、画面表示調整機能を有効に戻す（ステップＡ７）。
【００４８】
なお、端末装置１０が横方向になった場合に、カメラ１３０が撮影したユーザの顔画像の向きが、登録された顔画像と同一方向あるいは１８０度回転した方向であった場合には、制御部１００は、画像表示調整機能を無効にしても良い。なぜなら、このような状態は、現在の端末装置１０の方向（横方向）とユーザの顔とが平行であることを意味するから、ユーザと端末装置１０とがともに横方向になっており、ユーザが寝転んだ状態で端末装置１０を操作していると考えられるからである。
【００４９】
また、図９では、記憶装置１５０が写真と端末装置１０の向きとを対応付けて記憶しているが、これに加えて、記憶装置１５０は、画面表示調整機能を有効にするか無効にするかの情報を対応付けて記憶しても良い。これにより、現在の端末装置１０の向きとユーザの顔の向きに応じて画面表示機能を有効にするか無効にするかを制御部１００が制御することが可能になる。
【００５０】
本実施の形態によれば、端末装置１０のユーザの使用状態に応じて画面表示を調整することができる。その理由は、画面表示調整機能付きの端末装置であっても、端末装置が横方向であり、かつユーザも横方向である場合には画面表示調整機能を無効にするからである。
【００５１】
＜実施の形態３＞
次に、本発明の第３の実施の形態について説明する。
【００５２】
本実施の形態における端末装置１０は、表示物を表示する表示部１１０と、自装置の傾きを検知するセンサ１４０と、制御部１００とを備える。
【００５３】
端末装置１０は、上述の画面表示調整機能を有し、制御部１００は端末装置１０が傾けられても重力の下方向が表示物の下方向となるように表示物を回転させて表示部１１０に表示させる。
【００５４】
制御部１００は、端末装置１０の傾きの情報をセンサ１４０から取得し、ユーザの顔の向きをカメラ１３０から取得する。
【００５５】
制御部１００は、端末装置１０の向きが横方向であり、かつ、顔の向きが傾いていないときには、画面表示調整機能を有効なままとし、表示物の向きを、重力の下方向が下方向となるように表示部１１０に表示させる。
【００５６】
一方、制御部１００は、端末装置１０の向き、及び、顔の向きが、ともに重力方向に対して垂直方向である場合には画面表示調整機能を無効とし、表示物の向きを垂直方向に平行な方向で表示部１１０に表示させる。
【００５７】
本実施の形態によれば、端末装置１０のユーザの使用状態に応じて画面表示を調整することができる。その理由は、画面表示調整機能付きの端末装置であっても、端末装置が横方向であり、かつユーザも横方向である場合には画面表示調整機能を無効にするからである。
【００５８】
以上、実施形態を参照して本願発明を説明したが、本願発明は上記実施形態に限定されるものではない。本願発明の構成や詳細には、本願発明のスコープ内で当業者が理解しうる様々な変更をすることができる。
【符号の説明】
【００５９】
１０    端末装置
１００  制御部
１１０  表示部
１２０  操作部
１３０  カメラ
１４０  センサ
１５０  記憶部
【図１】
0005662359.tif 000002
【図２】
0005662359.tif 000003
【図３】
0005662359.tif 000004
【図４】
0005662359.tif 000005
【図５】
0005662359.tif 000006
【図６】
0005662359.tif 000007
【図７】
0005662359.tif 000008
【図８】
0005662359.tif 000009
【図９】
0005662359.tif 000010
【図１０】
0005662359.tif 000011
【図１１】
0005662359.tif 000012